(57)【要約】  本発明はデータ送信方法を開示し、前記データ送信方法は、送信時間間隔（ＴＴＩ）を単位にしてデータブロックを送信し、前記ＴＴＩはサイクリックプレフィックスを有するＮ個のシンボルを含み、ここで、Ｔｍｉｎ≦Ｔ≦Ｔｍａｘであり、Ｔｍｉｎ＝（１３×Ｎ×Ｌ）／３であり、Ｔｍａｘ＝２００／Ｋであり、Ｎは１以上且つ式（Ｉ）以下の正整数であり、ＴはＴＴＩを表し、Ｌは前記サイクリックプレフィックスを有するＮ個のシンボルのサイクリックプレフィックスの平均値を示し、Ｌ≦６であり、式（ＩＩ）は切捨てを表し、Ｋは定数であり、２＜Ｋ≦７であり、Ｔ、Ｌ、Ｔｍｉｎ、およびＴｍａｘの単位はマイクロ秒（μｓ）であることを含む。本発明はさらにデータ受信方法、データ伝送方法、データ送信装置、データ受信装置、データ伝送システム及びコンピュータ記憶媒体を同時に開示する。式（Ｉ）  └600/(13KL)┘式（ＩＩ）  └  ┘【選択図】図３
2017512435.tif 000002
【特許請求の範囲】
【請求項１】
データ送信方法であって、
前記方法は、送信時間間隔（ＴＴＩ）を単位にしてデータブロックを送信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はマイクロ秒（μs）である、前記データ送信方法。
【請求項２】
前記シンボルは直交周波数分割多重（ＯＦＤＭ）シンボルであり、或いはシングルキャリア周波数分割多元接続（ＳＣ−ＦＤＭＡ）シンボルであり、或いは非直交シンボルである
請求項１に記載の方法。
【請求項３】
ＴＴＩを単位にしてデータブロックを送信する前に、前記方法は、発信機と受信機の処理能力に応じて、Ｋを決定することを更に含む
請求項１に記載の方法。
【請求項４】
ＴＴＩを単位にしてデータブロックを送信する前に、前記方法は、
チャネル環境に応じてＬを決定し、或いは、応用シーンに応じてＬを決定し、或いは、送信されたデータブロックのサービス特性に応じてＬを決定することを更に含む
請求項３に記載の方法。
【請求項５】
ＴＴＩを単位にしてデータブロックを送信する前に、前記方法は、決定されたＬおよびＫにより前記ＴＴＩを決定することを更に含む
請求項４に記載の方法。
【請求項６】
前記決定されたＬ及びＫにより前記ＴＴＩを決定することは、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得る
請求項５に記載の方法。
【請求項７】
ＴＴＩを単位にしてデータブロックを送信する前に、前記方法は、決定されたＫにより前記ＴＴＩを決定することを更に含む
請求項３に記載の方法。
【請求項８】
前記決定されたＫにより前記ＴＴＩを決定することは、２００をＫで割って、前記ＴＴＩを得る
請求項７に記載の方法。
【請求項９】
前記方法を適用する通信システムがサポートしているハイブリッド自動再送要求（ＨＡＲＱ）の往復時間（ＲＴＴ）の最大値は２００μsである
請求項１〜８のいずれか１項に記載の方法。
【請求項１０】
前記方法を適用する通信システムのサブキャリア間隔はΔであり、Δは０．０１ＭＨｚ＜Δ≦７．５ＭＨｚである
請求項１〜８のいずれか１項に記載の方法。
【請求項１１】
データ受信方法であって、
前記方法は、送信時間間隔（ＴＴＩ）を単位にしてデータブロックを受信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝100であり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ受信方法。
【請求項１２】
前記シンボルは直交周波数分割多重（ＯＦＤＭ）シンボルであり、或いはシングルキャリア周波数分割多元接続（ＳＣ−ＦＤＭＡ）シンボルであり、或いは非直交シンボルである
請求項１１に記載の方法。
【請求項１３】
前記方法を適用する通信システムがサポートしているハイブリッド自動再送要求（ＨＡＲＱ）の往復時間（ＲＴＴ）の最大値は２００μsである
請求項１１又は１２に記載の方法。
【請求項１４】
前記方法を適用する通信システムのサブキャリア間隔はΔであり、Δは０．０１ＭＨｚ＜Δ≦７．５ＭＨｚである
請求項１１又は１２に記載の方法。
【請求項１５】
データ伝送方法であって、
前記方法は、送信時間間隔（ＴＴＩ）を単位にしてデータブロックを送信し、対応的に、ＴＴＩを単位にしてデータブロックを受信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ伝送方法。
【請求項１６】
前記シンボルは直交周波数分割多重（ＯＦＤＭ）シンボルであり、或いはシングルキャリア周波数分割多元接続（ＳＣ−ＦＤＭＡ）シンボルであり、或いは非直交シンボルである
請求項１５に記載の方法。
【請求項１７】
ＴＴＩを単位にしてデータブロックを送信する前に、前記方法は、
発信機と受信機の処理能力に応じて、Ｋを決定することを更に含む
請求項１５に記載の方法。
【請求項１８】
ＴＴＩを単位にしてデータブロックを送信する前に、前記方法は、
チャネル環境に応じてＬを決定し、或いは、応用シーンに応じてＬを決定し、或いは、送信されたデータブロックのサービス特性に応じてＬを決定することを更に含む
請求項１７に記載の方法。
【請求項１９】
ＴＴＩを単位にしてデータブロックを送信する前に、前記方法は、
決定されたＬおよびＫにより前記ＴＴＩを決定することを更に含む
請求項１８に記載の方法。
【請求項２０】
前記決定されたＬ及びＫにより前記ＴＴＩを決定することは、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得る
請求項１９に記載の方法。
【請求項２１】
ＴＴＩを単位にしてデータブロックを送信する前に、前記方法は、
決定されたＫにより前記ＴＴＩを決定することを更に含む
請求項１７に記載の方法。
【請求項２２】
前記決定されたＫにより前記ＴＴＩを決定することは、
２００をＫで割って、前記ＴＴＩを得る
請求項２１に記載の方法。
【請求項２３】
前記方法を適用する通信システムがサポートしているハイブリッド自動再送要求（ＨＡＲＱ）の往復時間（ＲＴＴ）の最大値は２００μsである
請求項１５〜２２のいずれか１項に記載の方法。
【請求項２４】
前記方法を適用する通信システムのサブキャリア間隔はΔであり、Δは０.０１ＭＨｚ＜Δ≦７.５ＭＨｚである
請求項１５〜２２のいずれか１項に記載の方法。
【請求項２５】
データ送信装置であって、
送信時間間隔（ＴＴＩ）を送信モジュールに送信するように構成される第一決定モジュールと、
第一決定モジュールから送信された前記ＴＴＩを受信した後、ＴＴＩを単位にしてデータブロックを送信するように構成される送信モジュールとを備え、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ送信装置。
【請求項２６】
前記第一決定モジュールは、さらに、発信機と受信機の処理能力に応じて、Ｋを決定するように構成される
請求項２５に記載の装置。
【請求項２７】
前記第一決定モジュールは、さらに、チャネル環境に応じてＬを決定し、或いは、応用シーンに応じてＬを決定し、或いは、送信されたデータブロックのサービス特性に応じてＬを決定するように構成される
請求項２６に記載の装置。
【請求項２８】
前記第一決定モジュールは、さらに、決定されたＬおよびＫにより前記ＴＴＩを決定するように構成される
請求項２７に記載の装置。
【請求項２９】
前記第一決定モジュールは、さらに、決定されたＫによりＴＴＩを決定するように構成される
請求項２６に記載の装置。
【請求項３０】
前記装置を適用する通信システムがサポートしているハイブリッド自動再送要求（ＨＡＲＱ）の往復時間（ＲＴＴ）の最大値は２００μsである
請求項２５〜２９のいずれか１項に記載の装置。
【請求項３１】
前記装置を適用する通信システムのサブキャリア間隔はΔであり、Δは０.０１ＭＨｚ＜Δ≦７.５ＭＨｚである
請求項２５〜２９のいずれか１項に記載の装置。
【請求項３２】
データ受信装置であって、
送信時間間隔（ＴＴＩ）を受信モジュールに送信するように構成される第二決定モジュールと、
第二決定モジュールから送信された前記ＴＴＩを受信したあと、ＴＴＩを単位にしてデータブロックを受信するように構成される受信モジュールとを備え、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ受信装置。
【請求項３３】
前記装置を適用する通信システムがサポートしているハイブリッド自動再送要求（ＨＡＲＱ）の往復時間（ＲＴＴ）の最大値は２００μsである
請求項３２に記載の装置。
【請求項３４】
前記装置を適用する通信システムのサブキャリア間隔はΔであり、Δは０.０１ＭＨｚ＜Δ≦７.５ＭＨｚである
請求項３２又は３３に記載の装置。
【請求項３５】
データ伝送システムであって、
送信時間間隔（ＴＴＩ）を単位にしてデータブロックを送信するように構成されるデータ送信装置と、
ＴＴＩを単位にしてデータブロックを受信するように構成されるデータ受信装置とを備え、
前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ伝送システム。
【請求項３６】
前記データ送信装置は、さらに、ＴＴＩを単位にしてデータブロックを送信する前に、発信機と受信機の処理能力に応じて、Ｋを決定するように構成される
請求項３５に記載のシステム。
【請求項３７】
前記データ送信装置は、さらに、ＴＴＩを単位にしてデータブロックを送信する前に、チャネル環境に応じてＬを決定し、或いは、応用シーンに応じてＬを決定し、或いは、送信されたデータブロックのサービス特性に応じてＬを決定するように構成される
請求項３６に記載のシステム。
【請求項３８】
前記データ送信装置は、さらに、ＴＴＩを単位にしてデータブロックを送信する前に、決定されたＬおよびＫにより前記ＴＴＩを決定するように構成される
請求項３７に記載のシステム。
【請求項３９】
前記データ送信装置は、さらに、ＴＴＩを単位にしてデータブロックを送信する前に、決定されたＫにより前記ＴＴＩを決定するように構成される
請求項３６に記載のシステム。
【請求項４０】
前記システムを適用する通信システムがサポートしているハイブリッド自動再送要求（ＨＡＲＱ）の往復時間（ＲＴＴ）の最大値は２００μsである
請求項３５〜３９のいずれか１項に記載のシステム。
【請求項４１】
前記システムを適用する通信システムのサブキャリア間隔はΔであり、Δは０.０１ＭＨｚ＜Δ≦７.５ＭＨｚである
請求項３５〜３９のいずれか１項に記載のシステム。
【請求項４２】
コンピュータ記憶媒体であって、
前記コンピュータ記憶媒体は、一組の命令を含み、前記命令を実行する際、少なくとも一つのプロセッサが請求項１〜１０のいずれか１項に記載のデータ送信方法を実行するようにし、或いは請求項１１〜１４のいずれか１項に記載のデータ受信方法を実行するようにし、或いは請求項１５〜２４のいずれか１項に記載のデータ伝送方法を実行するようにする、前記コンピュータ記憶媒体。
【発明の詳細な説明】
【技術分野】
【０００１】
本発明は通信分野のデータ伝送技術に関し、特にデータ伝送方法、装置、システム及びコンピュータ記憶媒体に関する。
【背景技術】
【０００２】
現在、第四世代モバイル通信技術（４Ｇ：ｔｈｅ  ４ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）長期発展型（ＬＴＥ：Ｌｏｎｇ-Ｔｅｒｍ  Ｅｖｏｌｕｔｉｏｎ）／アドバンスト長期発展型（ＬＴＥ−Ａｄｖａｎｃｅ／ＬＴＥ−Ａ：Ｌｏｎｇ-Ｔｅｒｍ  Ｅｖｏｌｕｔｉｏｎ  Ａｄｖａｎｃｅ）システムの商用化が日増しに完備になるに従って、次世代のモバイル通信技術、即ち第五世代モバイル通信技術（５Ｇ：ｔｈｅ  ５ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）の技術的要件もますます高くなり、業界では、一般的に、次世代のモバイル通信システムが超高速、超高容量、超高信頼性、及び超低遅延伝送特性などの特徴を有していなければならないと認識されている。
【０００３】
遅延伝送特性について、図１に示すように、従来の第二世代モバイル通信技術（２Ｇ：ｔｈｅ  ２ｎｄ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）システムのデータ伝送の遅延時間が１００ｍｓを超えて、この遅延時間が人体の筋肉応答の低遅延通信効果を達する。第三世代モバイル通信技術（３Ｇ：ｔｈｅ  ３ｒｄ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）システムのデータ伝送の遅延時間が１００ｍｓであり、この遅延時間が聴覚の低遅延通信効果を達する。そして４Ｇシステムのデータ伝送の遅延時間が約２０ｍｓであり、この遅延時間が視覚の低遅延通信効果を達する。
【０００４】
しかしながら、上記の各世代のモバイル通信技術の遅延伝送を実現する技術は、モバイル３Ｄターゲット、バーチャルリアリティ、インテリジェント交通、スマートグリッドなどの応用シーンにおける超低遅延通信要求を満たすことができない。上記の応用シーンは１ｍｓレベルのデータ遅延を実現できるように要求する。図２は超低遅延システムの遅延の分解模式図である。図２から見ると、１ｍｓの遅延という目標を実現するために、受信端と送信端の上位層、物理層モジュールに対して最適化の処理を行う必要がある。
【０００５】
従って、どのように適合の送信時間間隔をデザインするかことと、次世代のモバイル通信技術システムの超低遅延伝送特性を実現すると同時に、サイクリックプレフィックスなどのオーバーヘッド問題を考えることは、現在早急に解決すべき問題である。
【発明の概要】
【発明が解決しようとする課題】
【０００６】
現在既存の技術的問題を解決するために、本発明の実施例はデータ伝送方法、装置、システム及びコンピュータ記憶媒体を提供する。
【課題を解決するための手段】
【０００７】
本発明の実施例はデータ送信方法を提供し、前記方法は、送信時間間隔（ＴＴＩ：Ｔｒａｎｓｍｉｓｓｉｏｎ  Ｔｉｍｅ  Ｉｎｔｅｒｖａｌ）を単位にしてデータブロックを送信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はマイクロ秒μsである。
【０００８】
上記方案において、前記シンボルは直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであり、或いはシングルキャリア周波数分割多元接続（ＳＣ−ＦＤＭＡ：Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルであり、或いは非直交シンボルである。
【０００９】
上記方案において、ＴＴＩを単位にしてデータブロックを送信する前に、前記方法は、
発信機と受信機の処理能力に応じて、Ｋを決定することを更に含む。
【００１０】
上記方案において、ＴＴＩを単位にしてデータブロックを送信する前に、前記方法は、
チャネル環境に応じてＬを決定し、或いは、応用シーンに応じてＬを決定し、或いは、送信されたデータブロックのサービス特性に応じてＬを決定することを更に含む。
【００１１】
上記方案において、ＴＴＩを単位にしてデータブロックを送信する前に、前記方法は、
決定されたＬおよびＫにより前記ＴＴＩを決定することを更に含む。
【００１２】
上記方案において、決定されたＬ及びＫにより前記ＴＴＩを決定することは、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得ることである。
【００１３】
上記方案において、ＴＴＩを単位にしてデータブロックを送信する前に、前記方法は、決定されたＫにより前記ＴＴＩを決定することを更に含む。
【００１４】
上記方案において、前記決定されたＫにより前記ＴＴＩを決定することは、
２００をＫで割って、前記ＴＴＩを得ることである。
【００１５】
上記方案において、前記方法を適用する通信システムがサポートしているハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）の往復時間（ＲＴＴ：Ｒｏｕｎｄ  Ｔｒｉｐ  Ｔｉｍｅ）の最大値は２００μsである。
【００１６】
上記方案において、前記方法を適用する通信システムのサブキャリア間隔はΔであり、Δは０.０１ＭＨｚ＜Δ≦７.５ＭＨｚである。
【００１７】
本発明の実施例はデータ受信方法を提供し、前記方法は、送信時間間隔（ＴＴＩ）を単位にしてデータブロックを受信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝100であり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【００１８】
本発明の実施例はデータ伝送方法を提供し、前記方法は、送信時間間隔（ＴＴＩ）を単位にしてデータブロックを送信し、対応的に、ＴＴＩを単位にしてデータブロックを受信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【００１９】
本発明の実施例はデータ送信装置を提供し、前記データ送信装置は、
送信時間間隔（ＴＴＩ）を送信モジュールに送信するように構成される第一決定モジュールと、
第一決定モジュールから送信された前記ＴＴＩを受信した後、ＴＴＩを単位にしてデータブロックを送信するように構成される送信モジュールとを備え、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【００２０】
上記方案において、前記第一決定モジュールは、さらに、発信機と受信機の処理能力に応じて、Ｋを決定するように構成される。
【００２１】
上記方案において、前記第一決定モジュールは、さらに、チャネル環境に応じてＬを決定し、或いは、応用シーンに応じてＬを決定し、或いは、送信されたデータブロックのサービス特性に応じてＬを決定するように構成される。
【００２２】
上記方案において、前記第一決定モジュールは、さらに、決定されたＬおよびＫによりＴＴＩを決定するように構成される。
【００２３】
上記方案において、前記第一決定モジュールは、さらに、前記決定されたＫによりＴＴＩを決定するように構成される。
【００２４】
上記方案において、前記装置を適用する通信システムがサポートしているハイブリッド自動再送要求（ＨＡＲＱ）の往復時間（ＲＴＴ）の最大値は２００μsである。
【００２５】
上記方案において、前記装置を適用する通信システムのサブキャリア間隔はΔであり、Δは０.０１ＭＨｚ＜Δ≦７.５ＭＨｚである。
【００２６】
本発明の実施例はデータ受信装置を提供し、前記データ受信装置は、
送信時間間隔（ＴＴＩ）を受信モジュールに送信するように構成される第二決定モジュールと、
第二決定モジュールから送信された前記ＴＴＩを受信した後、ＴＴＩを単位にしてデータブロックを受信するように構成される受信モジュールとを備え、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【００２７】
上記方案において、前記装置を適用する通信システムがサポートしているハイブリッド自動再送要求（ＨＡＲＱ）の往復時間（ＲＴＴ）の最大値は２００μsである。
【００２８】
上記方案において、前記装置を適用する通信システムのサブキャリア間隔はΔであり、Δは０.０１ＭＨｚ＜Δ≦７.５ＭＨｚである。
【００２９】
本発明の実施例はデータ伝送システムを提供し、前記システムは、
送信時間間隔（ＴＴＩ）を単位にしてデータブロックを送信するように構成されるデータ送信装置と、
ＴＴＩを単位にしてデータブロックを受信するように構成されるデータ受信装置とを備え、
前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【００３０】
上記方案において、前記データ送信装置は、さらに、ＴＴＩを単位にしてデータブロックを送信する前に、発信機と受信機の処理能力に応じて、Ｋを決定するように構成される。
【００３１】
上記方案において、前記データ送信装置は、さらに、ＴＴＩを単位にしてデータブロックを送信する前に、チャネル環境に応じてＬを決定し、或いは、応用シーンに応じてＬを決定し、或いは、送信されたデータブロックのサービス特性に応じてＬを決定するように構成される。
【００３２】
上記方案において、前記データ送信装置は、さらに、ＴＴＩを単位にしてデータブロックを送信する前に、決定されたＬおよびＫにより前記ＴＴＩを決定するように構成される。
【００３３】
上記方案において、前記データ送信装置は、さらに、ＴＴＩを単位にしてデータブロックを送信する前に、前記決定されたＫにより前記ＴＴＩを決定するように構成される。
【００３４】
上記方案において、前記システムを適用する通信システムがサポートしているハイブリッド自動再送要求（ＨＡＲＱの往復時間（ＲＴＴ）の最大値は２００μsである。
【００３５】
上記方案において、前記システムを適用する通信システムのサブキャリア間隔はΔであり、Δは０.０１ＭＨｚ＜Δ≦７.５ＭＨｚである。
【００３６】
本発明の実施例はコンピュータ記憶媒体を提供し、前記コンピュータ記憶媒体は、一組の命令を含み、前記命令を実行する際、少なくとも１つのプロセッサが上記のデータ送信方法を実行するようにし、或いは上記のデータ受信方法を実行するようにし、或いは上記のデータ伝送方法を実行するようにする。
【００３７】
本発明の実施例が提供したデータ伝送方法、装置、システム及びコンピュータ記憶媒体は、ＴＴＩを単位にしてデータブロックを送信或いは受信し、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はマイクロ秒（μs）である。本発明の実施例に係る技術方案を利用して、次世代のモバイル通信システム（５Ｇ）における超低遅延サービス伝送を適用する際に物理層の時間予算の最大値が１００μsである技術的問題を解決でき、これによって、モバイル３Ｄターゲット、バーチャルリアリティ、インテリジェント交通、スマートグリッドなどの応用シーンにおける超低遅延通信要求を実現することができる。つまり、本発明の技術方案を利用して、データブロックのＲＴＴが２００μsを超えないし、サイクリックプレフィックスのオーバーヘッドが小さい且つ通信システムの許容範囲内に制御し、これによって通信システムの超低遅延サービスの低遅延通信要求を確保した。
【図面の簡単な説明】
【００３８】
図面（必ずしも一定の縮尺で描かれていない）において、類似の図面の符号は異なる図面で類似の部品を記述することができ、異なる接尾文字を持つ類似の図面の符号は類似の部品の異なる例を示すことができ、図面では例示的に本明細書で論じる様々な実施形態を示すが、限定ではない。
【図１】異なるモバイル通信システムの遅延要求模式図である。
【図２】超低遅延システムの遅延分解模式図である。
【図３】本発明の実施例に係るデータ伝送方法のフローチャートである。
【図４】本発明の実施例に係るダウンリンク伝送を開始して且つＲＴＴ一回を完成するフローチャートである。
【図５】本発明の実施例に係る第一種のＴＴＩ構造模式図である。
【図６】本発明の実施例に係るアップリンク伝送を開始して且つＲＴＴ一回を完成するフローチャートである。
【図７】本発明の実施例に係る第二種のＴＴＩ構造模式図である。
【図８】本発明の実施例に係る第三種のＴＴＩ構造模式図である。
【図９】本発明の実施例に係るデータ送信装置の構造模式図である。
【図１０】本発明の実施例に係るデータ受信装置の構造模式図である。
【図１１】本発明の実施例に係るデータ伝送システムの構造模式図である。
【発明を実施するための形態】
【００３９】
以下、添付の図面と具体的な実施例を参照して本発明の技術的解決手段に対して詳細に説明する。
【００４０】
本発明の各実施例において、送信時間間隔（ＴＴＩ）を単位にしてデータブロックを送信或いは受信し、前記ＴＴＩはサイクリックプレフィックスを有するＮ個のシンボルを含み、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はマイクロ秒（μs）である。
【００４１】
本発明の実施例により提供されるデータ送信方法は、ＴＴＩを単位にしてデータブロックを送信することを含み、前記ＴＴＩはサイクリックプレフィックスを有するＮ個のシンボルを含み、ここで、
Tmin≦T≦Tmaxであり、Tmin＝(13×N×L)/3であり、Tmax＝200/Kであり、Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はマイクロ秒（μs）である。
【００４２】
具体的に、基地局或いは端末の発信機はＴＴＩを単位にしてデータブロックを送信する。
【００４３】
前記データブロックは超低遅延サービス情報データブロックであってよく或いは超低遅延サービス情報以外の他のデータブロックであってもよい。前記超低遅延サービスは、データ伝送の遅延時間が１ｍｓ内にあるサービスを指し、例えば、インテリジェント交通、スマートグリッド、インテリジェント工業、インテリジェット医療、モバイル３Ｄターゲット、バーチャルリアリティなどの関連サービスである。
【００４４】
前記シンボルはＯＦＤＭシンボルであってよく、或いはＳＣ−ＦＤＭＡシンボルであってよく、或いは非直交シンボルなどのシンボルであってよい。
【００４５】
ＴＴＩを単位にしてデータブロックを送信する前に、前記方法は、
チャネル環境に応じてＬを決定し、或いは、応用シーンに応じてＬを決定し、或いは、送信されたデータブロックのサービス特性によりＬを決定することを更に含み、Ｌを決定する具体的な処理過程は先行技術であり、ここでは、詳細な説明を省略する。
【００４６】
ＴＴＩを単位にしてデータブロックを送信する前に、前記方法は、
発信機と受信機の処理能力に応じて、Ｋを決定することを更に含む。実際に応用するとき、データブロックのＴＴＩがＴである場合、Ｋは発信機と受信機が該データパケットを処理する最長時間であり、一般的には２Ｔと７Ｔとの間にある。
【００４７】
ＴＴＩを単位にしてデータブロックを送信する前に、前記方法は、
決定されたＬ及びＫによりＴＴＩを決定することを更に含み、具体的に、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得、
ここで、前記ＴＴＩを決定する上記の過程を公式に表示すると、
T＝13L/3└600/13KL┘である。
【００４８】
ＴＴＩを単位にしてデータブロックを送信する前に、前記方法は、決定されたＫによりＴＴＩを決定することをさらに含み、具体的に、
２００をＫで割って、前記ＴＴＩを得、
ここで、前記ＴＴＩを決定する過程を公式に表示すると、
Ｔ＝２００/Ｋである。
【００４９】
一つの実施例では、Ｎの値は１であってよい。
【００５０】
一つの実施例では、前記ＴＴＩの値は６.５μsであってよく、１３μsであってよく、２８．６μsなどであってよい。
【００５１】
一つの実施例には、本発明の実施例に係る方法を適用する通信システムがサポートしているハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）の往復時間（ＲＴＴ：Ｒｏｕｎｄ  Ｔｒｉｐ  Ｔｉｍｅ）の最大値は２００μsであり、つまり、本発明の実施例に係る方法を適用する通信システムがサポートしているＨＡＲＱのＲＴＴは２００μsを超えることができない。
【００５２】
一つの実施例には、本発明の実施例に係る方法を適用する通信システムのサブキャリア間隔はΔであり、Δは０.０１ＭＨｚ＜Δ≦７.５ＭＨｚである。具体的に、Δの値は０.０８ＭＨｚであってよく、０.１６ＭＨｚであってよく、１.８ＭＨｚであってよく、又は３.６ＭＨｚなどであってよい。
【００５３】
本発明の実施例が提供したデータ受信方法は、ＴＴＩを単位にしてデータブロックを受信することを含み、前記ＴＴＩはサイクリックプレフィックスを有するＮ個のシンボルを含み、ここで、
Tmin≦T≦Tmaxであり、
Tmin＝(13×N×L)/3であり、Tmax＝200/Kであり、Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【００５４】
具体的に、基地局或いは端末の受信機はＴＴＩを単位にしてデータブロックを受信する。
【００５５】
前記データブロックは超低遅延サービス情報データブロックであってよく或いは超低遅延サービス情報以外の他のデータブロックであってよく、前記超低遅延サービスは、データ伝送の遅延時間が１ｍｓ内にあるサービスを指し、例えば、インテリジェント交通、スマートグリッド、インテリジェント工業、インテリジェット医療、モバイル３Ｄターゲット、バーチャルリアリティなど関連サービスである。
【００５６】
前記シンボルはＯＦＤＭシンボルであってよく、或いはＳＣ−ＦＤＭＡシンボルであってよく、或いは非直交シンボルなどのシンボルであってよい。
【００５７】
一つの実施例には、Ｎの値は１であってよい。
【００５８】
一つの実施例には、前記ＴＴＩの値は６.５μsであってよく、１３μsであってよく、２８．６μsなどであってよい。
【００５９】
一つの実施例では、本発明の実施例に係る方法を適用する通信システムがサポートしているＨＡＲＱのＲＴＴの最大値は２００μsであり、つまり、本発明の実施例に係る方法を適用する通信システムがサポートしているＨＡＲＱのＲＴＴは２００μsを超えることができない。
【００６０】
一つの実施例には、本発明の実施例に係る方法を適用する通信システムのサブキャリア間隔はΔであり、Δは０.０１ＭＨｚ＜Δ≦７.５ＭＨｚである。具体的に、Δの値は０.０８ＭＨｚであってよく、０.１６ＭＨｚであってよく、１.８ＭＨｚであってよく、又は３.６ＭＨｚなどであってよい。
【００６１】
上記のデータ送信方法及びデータ受信方法に基づいて、本発明の実施例はデータ伝送方法をさらに提供し、図３に示すように、該方法は以下のステップを含む。
【００６２】
ステップ３０１において、ＴＴＩを単位にしてデータブロックを送信する。前記ＴＴＩはサイクリックプレフィックスを有するＮ個のシンボルを含み、ここで、
Tmin≦T≦Tmaxであり、Tmin＝(13×N×L)/3であり、Tmax＝200/Kであり、Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はマイクロ秒（μs）である。
【００６３】
具体的に、基地局の発信機がＴＴＩを単位にしてデータブロックを送信するとき、端末の受信機が前記ＴＴＩを単位にしてデータブロックを受信し、端末の発信機がＴＴＩを単位にしてデータブロックを送信するとき、基地局の受信機が前記ＴＴＩを単位にしてデータブロックを受信する。
【００６４】
前記データブロックは超低遅延サービス情報データブロックであってよく或いは超低遅延サービス情報以外の他のデータブロックであってよく、前記超低遅延サービスは、データ伝送の遅延時間が１ｍｓ内にあるサービスを指し、例えば、インテリジェント交通、スマートグリッド、インテリジェント工業、インテリジェット医療、モバイル３Ｄターゲット、バーチャルリアリティなど関連サービスである。
【００６５】
前記シンボルはＯＦＤＭシンボルであってよく、或いはＳＣ−ＦＤＭＡシンボルであってよく、或いは非直交シンボルなどのシンボルであってよい。
【００６６】
ＴＴＩを単位にしてデータブロックを送信する前に、前記方法は、
チャネル環境に応じてＬを決定し、或いは、応用シーンに応じてＬを決定し、或いは、送信されたデータブロックのサービス特性によりＬを決定することを更に含み、Ｌを決定する具体的な処理過程は先行技術であり、ここでは、詳細な説明を省略する。
【００６７】
ＴＴＩを単位にしてデータブロックを送信する前に、前記方法は、
発信機と受信機の処理能力に応じて、Ｋを決定することを更に含む。実際に応用するとき、データブロックのＴＴＩはＴであるとき、Ｋは発信機と受信機が該データパケットを処理する最長時間であり、一般的には２Ｔと７Ｔとの間にある。
【００６８】
ＴＴＩを単位にしてデータブロックを送信する前に、前記方法は、決定されたＬ及びＫによりＴＴＩを決定することをさらに含み、具体的に、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得、
ここで、前記ＴＴＩを決定する上記の過程を公式に表示すると、
T＝13L/3└600/13KL┘である。
【００６９】
ＴＴＩを単位にしてデータブロックを送信する前に、前記方法は、決定されたＫによりＴＴＩを決定することを更に含み、具体的に、
２００をＫで割って、前記ＴＴＩを得、
ここで、前記ＴＴＩを決定する過程を公式に表示すると、
Ｔ＝２００/Ｋである。
【００７０】
一つの実施例には、Ｎの値は１であってよい。
【００７１】
一つの実施例には、前記ＴＴＩの値は６.５μsであってよく、１３μsであってよく、２８．６μsなどであってよい。
【００７２】
ステップ３０２において、前記ＴＴＩを単位にしてデータブロックを受信する。
【００７３】
ここで、一つの実施例には、本発明の実施例に係る方法を適用する通信システムがサポートしているＨＡＲＱのＲＴＴの最大値は２００μsであり、つまり、本発明の実施例に係る方法を適用する通信システムがサポートしているＨＡＲＱのＲＴＴは２００μsを超えることができない。
【００７４】
一つの実施例には、本発明の実施例に係る方法を適用する通信システムのサブキャリア間隔はΔであり、Δは０.０１ＭＨｚ＜Δ≦７.５ＭＨｚである。具体的に、Δの値は０.０８ＭＨｚであってよく、０.１６ＭＨｚであってよく、１.８ＭＨｚであってよく、又は３.６ＭＨｚなどであってよい。
【００７５】
実施例一
本実施例において、通信システムは超低遅延サービスデータブロックを伝送し、ダウンリンク伝送を開始して且つＲＴＴ一回を完成し、図４に示すように、即ち、まず基地局の送信モジュールが超低遅延サービスデータブロックを送信し、次に端末の受信モジュールが基地局から送信された超低遅延サービスデータブロックを受信し、そして端末の送信モジュールが超低遅延サービスデータブロックを送信し、最後に基地局の受信モジュールが端末から送信された超低遅延サービスデータブロックを受信する。
【００７６】
通信システムが１ｍｓレベルのデータ伝送遅延即ち超低遅延サービスデータ伝送のＴＴＩをＴμsに設定し、１つのＴＴＩ内にはサイクリックプレフィックスを有しているＮ個のＯＦＤＭシンボル或いはＳＣ−ＦＤＭＡシンボルが含まれ、Ｎ個のＯＦＤＭ或いはＳＣ−ＦＤＭＡシンボルのサイクリックプレフィックスの平均値はＬμsである。
【００７７】
本実施例において、仮にチャンネル環境に応じてＬを決定し、Ｌ＝０.５μsであり、発信機と受信機の処理能力に応じて、Ｋを決定し、ここで、Ｋ＝７に設定し、本発明により、Ｎの最大値は└600/(13KL)┘＝13であり、Ｎ＝１に設定すると、Tmin＝(13×N×L)/3＝(13×1×0.5)/3＝2.14μｓであり、Tmax＝200/K＝28.57であり、２.１４μs 〜２８.５７μsの間でＴを選択し、Ｔが１３μsであると仮定する。
【００７８】
基地局と端末の処理能力に応じて、物理層の各部の処理時間が下記の方式で分配されるように設定する。
【００７９】
基地局の送信モジュールの処理時間はＴμsであり、
端末の受信モジュールの処理時間は２Ｔμsであり、
端末の送信モジュールの処理時間はＴμsであり、
基地局の受信モジュールの処理時間は３Ｔμsであり、
そして、Ｔ＋２Ｔ＋Ｔ＋３Ｔ＝Ｄである。
【００８０】
ここで、ＤはＲＴＴ伝送一回を完成する物理層の遅延を表し、基地局の処理時間、端末の処理時間、及びデータ往復のエアインタフェース遅延などを含む。
【００８１】
本実施例において、Ｔ＝１３μsであり，そしてＤ＝９１μsである。
【００８２】
本実施例において、Ｎの値は１であり、即ち、図５に示すように、各ＴＴＩには１つのＯＦＤＭシンボル或いはＳＣ−ＦＤＭＡシンボルが含まれる。同時に、超低遅延通信システムのサブキャリア間隔がΔＭＨｚであると設定する場合、
Δ＝N/(T - NL)であり、
Ｌ＝０.５μsであるので、上記の公式により、サブキャリア間隔は０．０８ＭＨｚである。
【００８３】
このとき、サイクリックプレフィックスのオーバーヘッドは、Ｌ/Ｔ=０.５/１３=３.８％である。
【００８４】
上記の記述からわかるように、本実施例によれば、発信端と受信端の処理時間を考えて、ＲＴＴ一回を完成する伝送時間は９１μsであり、データブロックのＲＴＴ時間が２００μsを超えないことを実現でき、同時に、サイクリックプレフィックスのオーバーヘッドはただ３.８％であり、通信システムの許容範囲内（通信システムの許容可能なサイクリックプレフィックスのオーバーヘッドの最大値は３０％である）に制御するので、通信システムの超低遅延サービスの低遅延通信要求を満たす。
【００８５】
実施例二
本実施例において、通信システムは超低遅延サービスデータブロックを伝送し、アップリンク伝送を開始して且つＲＴＴ一回を完成し、図６に示すように、即ち、まず端末の送信モジュールが超低遅延サービスデータブロックを送信し、次に基地局の受信モジュールが端末から送信された超低遅延サービスデータブロックを受信し、そして基地局の送信モジュールが超低遅延サービスデータブロックを送信し、最後に端末の受信モジュールが基地局から送信された超低遅延サービスデータブロックを受信する。
【００８６】
通信システムが１ｍｓレベルのデータ伝送遅延、即ち超低遅延サービスデータ伝送のＴＴＩをＴμsに設定し、１つのＴＴＩ内にはＮ個のサイクリックプレフィックスを有しているＯＦＤＭシンボル或いはＳＣ−ＦＤＭＡシンボルが含まれ、Ｎ個のＯＦＤＭ或いはＳＣ−ＦＤＭＡシンボルのサイクリックプレフィックスの平均値はＬμsである。
【００８７】
本実施例において、Ｎ＝１、Ｌ＝０.２５μsに設定し、発信機と受信機の処理能力に応じて、Ｋを決定し、ここで、Ｋ＝７に設定すると、Tmin＝(13×N×L)/3＝(13×1×0.25)/3＝1.08μｓであり、Tmax＝200/K＝28.57であり、１．０８μs〜２８.５７μsの間にＴを選択し、Ｔが６.５μsであると仮定する。
【００８８】
基地局と端末の処理能力に応じて、物理層の各部の処理時間が下記の方式で分配されるように設定する。
【００８９】
基地局の送信モジュールの処理時間はＴμsであり、
端末の受信モジュールの処理時間はＴμsであり、
端末の送信モジュールの処理時間はＴμsであり、
基地局の受信モジュールの処理時間は４Ｔμsであり、
そして、Ｔ＋Ｔ＋Ｔ＋４Ｔ＝Ｄである。
【００９０】
ここで、ＤはＲＴＴ伝送一回を完成する物理層の遅延を表し、基地局の処理時間、端末の処理時間、及びデータ往復のエアインタフェース遅延などを含む。
【００９１】
本実施例において、Ｔ＝６.５μsであり，そしてＤ＝４５.５μsである。
【００９２】
本実施例において、Ｎの値は１であり、即ち、図５に示すように、各ＴＴＩには１つのＯＦＤＭシンボル或いはＳＣ−ＦＤＭＡシンボルが含まれる。同時に、超低遅延通信システムのサブキャリア間隔がΔＭＨｚであると設定する場合、
Δ＝N/(T - NL)であり、
Ｌ＝０.２５μsであるので、上記の公式により、サブキャリア間隔は０．１６ＭＨｚである。
【００９３】
このとき、サイクリックプレフィックスのオーバーヘッドは、Ｌ/Ｔ=０.２５/６.５=３.８％である。
【００９４】
上記の記述からわかるように、本実施例によれば、発信端と受信端の処理時間を考えて、ＲＴＴ一回を完成する伝送時間は４５.５μsであり、データブロックのＲＴＴ時間が２００μsを超えないことを実現でき、同時に、サイクリックプレフィックスのオーバーヘッドはただ３.８％であり、通信システムの許容範囲内（通信システムの許容可能なサイクリックプレフィックスのオーバーヘッドの最大値は３０％である）に制御するので、通信システムの超低遅延サービスの低遅延通信要求を満たす。
【００９５】
実施例三
本実施例において、通信システムは超低遅延サービスデータブロックを伝送し、ダウンリンク伝送を開始して且つＲＴＴ一回を完成し、図４に示すように、即ち、まず基地局の送信モジュールが超低遅延サービスデータブロックを送信し、次に端末の受信モジュールが基地局から送信された超低遅延サービスデータブロックを受信し、そして端末の送信モジュールが超低遅延サービスデータブロックを送信し、最後に基地局の受信モジュールが端末から送信された超低遅延サービスデータブロックを受信する。
【００９６】
通信システムが１ｍｓレベルのデータ伝送遅延、即ち超低遅延サービスデータ伝送のＴＴＩをＴμsに設定し、Ｔ＝２００/Ｋに設定し、発信機と受信機の処理能力に応じて、Ｋを決定し、ここで、Ｋ＝６に設定すると、Ｔ＝２００/６＝３３.３３μsである。
【００９７】
１つのＴＴＩ内にはＮ個のサイクリックプレフィックスを有しているＯＦＤＭシンボル或いはＳＣ−ＦＤＭＡシンボルが含まれ、Ｎ個のＯＦＤＭ或いはＳＣ−ＦＤＭＡシンボルのサイクリックプレフィックスの平均値はＬμsである。本実施例において、Ｌ＝１μsに設定すると、Ｎの値は、N ≦ └600/(13KL)┘＝7であり、ここでＮ＝５である。
【００９８】
基地局と端末の処理能力に応じて、物理層の各部の処理時間が下記の方式で分配されるように設定する。
【００９９】
基地局の送信モジュールの処理時間はＴμsであり、
端末の受信モジュールの処理時間は２Ｔμsであり、
端末の送信モジュールの処理時間はＴμsであり、
基地局の受信モジュールの処理時間は２Ｔμsであり、
そして、Ｔ＋２Ｔ＋Ｔ＋２Ｔ＝Ｄである。
【０１００】
ここで、ＤはＲＴＴ送信一回を完成する物理層の遅延を表し、基地局の処理時間、端末の処理時間、及びデータ往復のエアインタフェース遅延などを含む。本実施例において、Ｔ＝３３.３３μsである場合，Ｄ＝２００μsである。
【０１０１】
本実施例において、Ｎの値は５であり、即ち、図７に示すように、各ＴＴＩには５つのＯＦＤＭシンボル或いはＳＣ−ＦＤＭＡシンボルが含まれ、各シンボルのサイクリックプレフィックスはＬμsであり、即ち、５つのＯＦＤＭ或いはＳＣ−ＦＤＭＡシンボルのサイクリックプレフィックスの平均値はＬμsである。同時に、超低遅延通信システムのサブキャリア間隔がΔＭＨｚであると設定する場合、
Δ＝N/(T - NL)であり、
Ｌ＝１μsであるので、上記の公式により、サブキャリア間隔は０．２１ＭＨｚである。
【０１０２】
このとき、サイクリックプレフィックスのオーバーヘッドは、５Ｌ/Ｔ＝１*５/２８.５７＝１７.５％である。
【０１０３】
上記の記述からわかるように、本実施例によれば、発信端と受信端の処理時間を考えて、ＲＴＴ一回を完成する伝送時間は２００μsであり、データブロックのＲＴＴ時間が２００μsを超えないことを実現でき、同時に、サイクリックプレフィックスのオーバーヘッドはただ１７.５％であり、通信システムの許容範囲内（通信システムの許容可能なサイクリックプレフィックスのオーバーヘッドの最大値は３０％である）に制御するので、通信システムの超低遅延サービスの低遅延通信要求を満たす。
【０１０４】
実施例四
本実施例において、通信システムは超低遅延サービスデータブロックを伝送し、ダウンリンク伝送を開始して且つＲＴＴ一回を完成し、図４に示すように、即ち、まず基地局の送信モジュールが超低遅延サービスデータブロックを送信し、次に端末の受信モジュールが基地局から送信された超低遅延サービスデータブロックを受信し、そして端末の送信モジュールが超低遅延サービスデータブロックを送信し、最後に基地局の受信モジュールが端末から送信された超低遅延サービスデータブロックを受信する。
【０１０５】
通信システムが１ｍｓレベルのデータ送信往復時間即ち超低遅延サービスデータ伝送のＴＴＩをＴμsに設定し、１つのＴＴＩ内にはＮ個のサイクリックプレフィックスを有しているＯＦＤＭシンボル或いはＳＣ−ＦＤＭＡシンボルが含まれ、Ｎ個のＯＦＤＭ或いはＳＣ−ＦＤＭＡシンボルのサイクリックプレフィックスの平均値はＬμsである。
【０１０６】
本実施例において、Ｌ＝０.５μsに設定し、発信機と受信機の処理能力に応じて、Ｋを決定し、ここでＫ＝５に設定し、本発明により、Ｎの最大値は└600/(13KL)┘＝18であり、Ｎ＝５に設定すると、Tmin＝(13×N×L)/3＝(13×5×0.5)/3＝10.83μｓであり、Tmax＝200/K＝40であり、１０.８３μs〜４０μsの間にＴを選択し、Ｔが２０μsであると仮定する。
【０１０７】
基地局と端末の処理能力に応じて、物理層の各部の処理時間が下記の方式で分配されるように設定する。
【０１０８】
基地局の送信モジュールの処理時間はＴμsであり、
端末の受信モジュールの処理時間はＴμsであり、
端末の送信モジュールの処理時間はＴμsであり、
基地局の受信モジュールの処理時間は２Ｔμsであり、
そして、Ｔ＋Ｔ＋Ｔ＋２Ｔ＝Ｄである。
【０１０９】
ここで、ＤはＲＴＴ伝送一回を完成する物理層の遅延を表し、基地局の処理時間、端末の処理時間、及びデータ往復のエアインタフェース遅延などを含む。
【０１１０】
本実施例において、Ｔ＝２０μsである場合，Ｄ＝１００μsである。
【０１１１】
本実施例において、Ｎの値は５であり、即ち、各ＴＴＩには５つのＯＦＤＭシンボル或いはＳＣ−ＦＤＭＡシンボルが含まれ、各シンボルのサイクリックプレフィックスの平均値はＬ＝０.５μsであり、図８に示すように、各シンボルのサイクリックプレフィックスはそれぞれ０.５４μs、０.４９μs、０.４９μs、０.４９μs、０.４９μsである。同時に、超低遅延通信システムのサブキャリア間隔がΔＭＨｚであると設定する場合、
Δ＝N/(T - NL)であり、
Ｌ＝０.５μsであるので、上記の公式により、サブキャリア間隔は０．２９ＭＨｚである。
【０１１２】
このとき、サイクリックプレフィックスのオーバーヘッドは、５Ｌ/Ｔ＝５*０.５/２０＝１２.５％である。
【０１１３】
上記の記述からわかるように、本実施例によれば、発信端と受信端の処理時間を考えて、ＲＴＴ一回を完成する伝送時間は１００μsであり、データブロックのＲＴＴ時間が２００μsを超えないことを実現でき、同時に、サイクリックプレフィックスのオーバーヘッドはただ１２.５％であり、通信システムの許容範囲内（通信システムの許容可能なサイクリックプレフィックスのオーバーヘッドの最大値は３０％である）に制御するので、通信システムの超低遅延サービスの低遅延通信要求を満たす。
【０１１４】
上記のデータ送信方法に基づいて、本発明の実施例はデータ送信装置を更に提供し、該データ送信装置は基地局或いは端末に位置しており、図９に示すように、該データ送信装置は、第一決定モジュール９１及び送信モジュール９２を備える。
【０１１５】
第一決定モジュール９１は、ＴＴＩを送信モジュール９２に送信するように構成され、
送信モジュール９２は、第一決定モジュール９１から送信された前記ＴＴＩを受信したあと、ＴＴＩを単位にしてデータブロックを送信するように構成され、前記ＴＴＩはサイクリックプレフィックスを有するＮ個のシンボルを含み、ここで、
Tmin≦T≦Tmaxであり、
Tmin＝(13×N×L)/3であり、Tmax＝200/Kであり、Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【０１１６】
前記データブロックは超低遅延サービス情報データブロックであってよく或いは超低遅延サービス情報以外の他のデータブロックであってよく、前記超低遅延サービスは、データ伝送の遅延時間が１ｍｓ内にあるサービスを指し、例えば、インテリジェント交通、スマートグリッド、インテリジェント工業、インテリジェット医療、モバイル３Ｄターゲット、バーチャルリアリティなど関連サービスである。
【０１１７】
前記シンボルはＯＦＤＭシンボルであってよく、或いはＳＣ−ＦＤＭＡシンボルであってよく、或いは非直交シンボルなどのシンボルであってよい。
【０１１８】
前記第一決定モジュール９１は、チャネル環境に応じてＬを決定し、或いは、応用シーンに応じてＬを決定し、或いは、送信されたデータブロックのサービス特性によりＬを決定するように更に構成され、Ｌを決定する具体的なプロセス過程は先行技術であり、ここでは、詳細な説明を省略する。
【０１１９】
前記第一決定モジュール９１は、発信機と受信機の処理能力に応じて、Ｋを決定するように更に構成される。実際に応用するとき、データブロックのＴＴＩはＴであるとき、Ｋは発信機と受信機が該データパケットを処理する最長時間であり、一般的には２Ｔと７Ｔとの間にある。
【０１２０】
前記第一決定モジュール９１は、決定されたＬ及びＫによりＴＴＩを決定するように更に構成され、具体的に、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得、
ここで、前記ＴＴＩを決定する上記の過程を公式に表示すると、
T＝13L/3└600/13KL┘である。
【０１２１】
前記第一決定モジュール９１は、決定されたＫによりＴＴＩを決定するように更に構成され、具体的に、
２００をＫで割って、前記ＴＴＩを得、
ここで、前記ＴＴＩを決定する過程を公式に表示すると、
Ｔ＝２００/Ｋである。
【０１２２】
一つの実施例には、Ｎの値は１であってよい。
【０１２３】
一つの実施例には、前記ＴＴＩの値は６.５μsであってよく、１３μsであってよく、２８．６μsなどであってよい。
【０１２４】
一つの実施例には、本発明の実施例に係る装置を適用する通信システムがサポートしているＨＡＲＱのＲＴＴの最大値は２００μsであり、つまり、本発明の実施例に係る方法を適用する通信システムがサポートしているＨＡＲＱのＲＴＴは２００μsを超えることができない。
【０１２５】
一つの実施例には、本発明の実施例に係る方法を適用する通信システムのサブキャリア間隔はΔであり、Δは０.０１ＭＨｚ＜Δ≦７.５ＭＨｚである。具体的に、Δの値は０.０８ＭＨｚであってよく、０.１６ＭＨｚであってよく、１.８ＭＨｚであってよく、又は３.６ＭＨｚなどであってよい。
【０１２６】
なお、実際の応用中、第一決定モジュールがデータ送信装置のセントラルプロセシングユニット（ＣＰＵ、Ｃｅｎｔｒａｌ  Ｐｒｏｃｅｓｓｉｎｇ  Ｕｎｉｔ）、デジタルシグナルプロセッサ（ＤＳＰ、Ｄｉｇｉｔａｌ  Ｓｉｇｎａｌ  Ｐｒｏｃｅｓｓｏｒ）或いはフィールドプログラマブルゲートアレイ（ＦＰＧＡ、Ｆｉｅｌｄ−Ｐｒｏｇｒａｍｍａｂｌｅ  Ｇａｔｅ  Ａｒｒａｙ）によって実現されることができ、送信モジュールがデータ送信装置の発信機によって実現されることができる。
【０１２７】
上記のデータ受信方法に基づいて、本発明の実施例はデータ受信装置を更に提供し、該データ受信装置は基地局或いは端末に位置しており、図１０に示すように、該データ送信装置は、第二決定モジュール１０１及び受信モジュール１０２を備える。
【０１２８】
第二決定モジュール１０１は、ＴＴＩを受信モジュール１０２に送信するように構成され、
受信モジュール１０２は、第二決定モジュール１０１から送信された前記ＴＴＩを受信したあと、ＴＴＩを単位にしてデータブロックを受信するように構成され、前記ＴＴＩはサイクリックプレフィックスを有するＮ個のシンボルを含み、ここで、
Tmin≦T≦Tmaxであり、
Tmin＝(13×N×L)/3であり、Tmax＝200/Kであり、Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【０１２９】
前記データブロックは超低遅延サービス情報データブロックであってよく或いは超低遅延サービス情報以外の他のデータブロックであってよく、前記超低遅延サービスは、データ伝送の遅延時間が１ｍｓ内にあるサービスを指し、例えば、インテリジェント交通、スマートグリッド、インテリジェント工業、インテリジェット医療、モバイル３Ｄターゲット、バーチャルリアリティなど関連サービスである。
【０１３０】
前記シンボルはＯＦＤＭシンボルであってよく、或いはＳＣ−ＦＤＭＡシンボルであってよく、或いは非直交シンボルなどのシンボルであってよい。
【０１３１】
一つの実施例には、Ｎの値は１であってよい。
【０１３２】
一つの実施例には、前記ＴＴＩの値は６.５μsであってよく、１３μsであってよく、２８．６μsなどであってよい。
【０１３３】
一つの実施例には、本発明の実施例に係る装置を適用する通信システムがサポートしているＨＡＲＱのＲＴＴの最大値は２００μsであり、つまり、本発明の実施例に係る方法を適用する通信システムがサポートしているＨＡＲＱのＲＴＴは２００μsを超えることができない。
【０１３４】
一つの実施例には、本発明の実施例に係る方法を適用する通信システムのサブキャリア間隔はΔであり、Δは０.０１ＭＨｚ＜Δ≦７.５ＭＨｚである。具体的に、Δの値は０.０８ＭＨｚであってよく、０.１６ＭＨｚであってよく、１.８ＭＨｚであってよく、又は３.６ＭＨｚなどであってよい。
【０１３５】
なお、実際の応用中、第二決定モジュールがデータ受信装置のＣＰＵ、ＤＳＰ、ＦＰＧＡによって実現されることができ、受信モジュールがデータ受信装置の受信機によって実現されることができる。
【０１３６】
上記のデータ送信装置及びデータ受信装置に基づいて、本発明の実施例はデータ伝送システムを更に提供し、図１１に示すように、該システムは、データ送信装置１１１及びデータ受信装置１１２を備える。
【０１３７】
データ送信装置１１１は、ＴＴＩを単位にしてデータブロックを送信するように構成され、
データ受信装置１１２は、ＴＴＩを単位にしてデータブロックを受信するように構成され、
前記ＴＴＩはサイクリックプレフィックスを有するＮ個のシンボルを含み、ここで、
Tmin≦T≦Tmaxであり、
Tmin＝(13×N×L)/3であり、Tmax＝200/Kであり、Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【０１３８】
具体的に、データ送信装置１１１の第一決定モジュールから前記ＴＴＩをデータ送信装置１１１の送信モジュールに送信し、そして前記送信モジュールが前記ＴＴＩを単位にしてデータブロックを送信し、データ受信装置１１２の第二決定モジュールが前記ＴＴＩをデータ受信装置１１２の受信モジュールに送信し、そして前記受信モジュールが前記ＴＴＩを単位にしてデータブロックを受信する。
【０１３９】
実際に応用するとき、データ送信装置１１１は基地局或いは端末に位置し、対応的に、データ受信装置１１２は端末或いは基地局に位置し、具体的に、データ送信装置１１１が基地局に位置する場合、対応するデータ受信装置１１２が端末に位置し、データ送信装置１１１が端末に位置する場合、対応するデータ受信装置１１２が基地局に位置し、ここで、基地局と端末のデータ交換を実現するために、一般的には、基地局と端末の中にはそれぞれデータ送信装置１１１及びデータ受信装置１１２を備える。
【０１４０】
前記データブロックは超低遅延サービス情報データブロックであってよく或いは超低遅延サービス情報以外の他のデータブロックであってよく、前記超低遅延サービスは、データ伝送の遅延時間が１ｍｓ内にあるサービスを指し、例えば、インテリジェント交通、スマートグリッド、インテリジェント工業、インテリジェット医療、モバイル３Ｄターゲット、バーチャルリアリティなど関連サービスである。
【０１４１】
前記シンボルはＯＦＤＭシンボルであってよく、或いはＳＣ−ＦＤＭＡシンボルであってよく、或いは非直交シンボルなどのシンボルであってよい。
【０１４２】
前記データ送信装置１１１は、ＴＴＩを単位にしてデータブロックを送信する前に、チャネル環境に応じてＬを決定し、或いは、応用シーンに応じてＬを決定し、或いは、送信されたデータブロックのサービス特性に応じてＬを決定するように更に構成され、Ｌを決定する具体的なプロセス過程は先行技術であり、ここでは、詳細な説明を省略する。
【０１４３】
具体的に、前記第一決定モジュールは、ＴＴＩを単位にしてデータブロックを送信する前に、チャネル環境に応じてＬを決定し、或いは、応用シーンに応じてＬを決定し、或いは、送信されたデータブロックのサービス特性に応じてＬを決定する。
【０１４４】
前記データ送信装置１１１は、ＴＴＩを単位にしてデータブロックを送信する前に、発信機と受信機の処理能力に応じて、Ｋを決定するように更に構成される。実際に応用するとき、データブロックのＴＴＩはＴであるとき、Ｋは発信機と受信機が該データパケットを処理する最長時間であり、一般的には２Ｔと７Ｔとの間にある。
【０１４５】
前記データ送信装置１１１は、ＴＴＩを単位にしてデータブロックを送信する前に、決定されたＬ及びＫによりＴＴＩを決定するように更に構成され、具体的に、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得、
ここで、前記ＴＴＩを決定する上記の過程を公式に表示すると、
T＝13L/3└600/13KL┘である。
【０１４６】
前記データ送信装置１１１は、ＴＴＩを単位にしてデータブロックを送信する前に、決定されたＫによりＴＴＩを決定するように構成され、具体的に、
２００をＫで割って、前記ＴＴＩを得、
ここで、前記ＴＴＩを決定する過程を公式に表示すると、
Ｔ＝２００/Ｋである。
【０１４７】
処理時間は前記ＴＴＩを決定し、具体的に、下記の公式でＴを決定する。
【０１４８】
一つの実施例には、Ｎの値は１であってよい。
【０１４９】
一つの実施例には、前記ＴＴＩの値は６.５μsであってよく、１３μsであってよく、２８．６μsなどであってよい。
【０１５０】
一つの実施例には、本発明の実施例に係る装置を適用する通信システムがサポートしているＨＡＲＱのＲＴＴの最大値は２００μsであり、つまり、本発明の実施例に係る方法を適用する通信システムがサポートしているＨＡＲＱのＲＴＴは２００μsを超えることができない。
【０１５１】
一つの実施例には、本発明の実施例に係る方法を適用する通信システムのサブキャリア間隔はΔであり、Δは０.０１ＭＨｚ＜Δ≦７.５ＭＨｚである。具体的に、Δの値は０.０８ＭＨｚであってよく、０.１６ＭＨｚであってよく、１.８ＭＨｚであってよく、又は３.６ＭＨｚなどであってよい。
【０１５２】
本分野の当業者であれば、本発明の実施例は方法、システム、或いはコンピュータプログラム製品を提供してよい。従って、本発明はハードウエア実施例、ソフトウエア実施例、或いはソフトウエアとハードウエアを結合する実施例の形式を採用してよい。且つ、本発明はコンピュータプログラムコードを含み、一つ又は複数のコンピュータ記憶媒体（ディスク記憶装置と光学記憶装置などが含まれるが、それに限らない）に行われるコンピュータプログラム製品の形式を採用してよい。
【０１５３】
本発明は本発明の実施例における方法、装置（システム）、コンピュータプログラム製品のフローチャートと／又はダイヤグラムにより表れる。コンピュータプログラム命令がフローチャートと／又はダイヤグラムにおける各フローと／又はプロセス、及びフローチャートと／又はダイヤグラムにおけるフローと／又はプロセスの結合を実現してよい。このコンピュータプログラム命令を汎用コンピュータ、専用コンピュータ、組込プロセッサ或いは他のプログラミングデータプロセス装置のプロセッサへ提供して１つの機器を生成することで、コンピュータ或いは他のプログラミングデータプロセス装置のプロセッサに実行された命令によってフローチャートにおける１つ或いは複数のフローと／又はダイヤグラムにおける１つ或いは複数のプロセスには指定される機能を実現するために用いられる装置を生成する。
【０１５４】
上記のコンピュータプログラム命令はコンピュータ或いは他のプログラミングデータプロセス装置が特定方式で動作させるように起こすコンピュータ読取メモリに記憶されてよく、該コンピュータ読取メモリに記憶された命令が命令装置を備える製造品を生成させ、該命令装置はフローチャートにおける１つ或いは複数のフローと／又はダイヤグラムにおける１つ或いは複数のプロセスには指定される機能を実現する。
【０１５５】
上記のコンピュータプログラム命令がコンピュータ或いは他のプログラミングデータプロセス装置にインストールされてよく、コンピュータ或いは他のプログラミングデータプロセス装置に一連の動作ステップを実行させてコンピュータが実現するプロセスを生成し、そしてコンピュータ或いは他のプログラミングデータプロセス装置が実行された命令はフローチャートにおける１つ或いは複数のフローと／又はダイヤグラムにおける１つ或いは複数のプロセスには指定される機能を実現するために用いられるステップを提供する。
【０１５６】
以上は、本発明の最適的な実施例に過ぎなく、本発明の保護範囲を限定することに用いられるものではない。
【図１】
2017512435.tif 000003
【図２】
2017512435.tif 000004
【図３】
2017512435.tif 000005
【図４】
2017512435.tif 000006
【図５】
2017512435.tif 000007
【図６】
2017512435.tif 000008
【図７】
2017512435.tif 000009
【図８】
2017512435.tif 000010
【図９】
2017512435.tif 000011
【図１０】
2017512435.tif 000012
【図１１】
2017512435.tif 000013
【手続補正書】
【提出日】平成28年9月2日(2016.9.2)
【手続補正１】
【補正対象書類名】明細書
【補正対象項目名】００５３
【補正方法】変更
【補正の内容】
【００５３】
本発明の実施例が提供したデータ受信方法は、ＴＴＩを単位にしてデータブロックを受信することを含み、前記ＴＴＩはサイクリックプレフィックスを有するＮ個のシンボルを含み、ここで、
Tmin≦T≦Tmaxであり、
Tmin＝(13×N×L)/3であり、Tmax＝100であり、Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである。
【手続補正２】
【補正対象書類名】明細書
【補正対象項目名】０１４７
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
データ送信方法であって、
前記方法は、送信時間間隔（ＴＴＩ）を単位にしてデータブロックを送信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はマイクロ秒（μs）である、前記データ送信方法。
【請求項２】
前記シンボルは直交周波数分割多重（ＯＦＤＭ）シンボルであり、或いはシングルキャリア周波数分割多元接続（ＳＣ−ＦＤＭＡ）シンボルであり、或いは非直交シンボルである
請求項１に記載の方法。
【請求項３】
ＴＴＩを単位にしてデータブロックを送信する前に、前記方法は、発信機と受信機の処理能力に応じて、Ｋを決定することを更に含む
請求項１に記載の方法。
【請求項４】
ＴＴＩを単位にしてデータブロックを送信する前に、前記方法は、
チャネル環境に応じてＬを決定し、或いは、応用シーンに応じてＬを決定し、或いは、送信されたデータブロックのサービス特性に応じてＬを決定することを更に含む
請求項３に記載の方法。
【請求項５】
ＴＴＩを単位にしてデータブロックを送信する前に、前記方法は、決定されたＬおよびＫにより前記ＴＴＩを決定することを更に含み、
前記決定されたＬ及びＫにより前記ＴＴＩを決定することは、
１３にＬを乗じて、第一値を得、
第一値にＫを乗じて、第二値を得、
６００を第二値で割って、第三値を得、
第三値を切捨て、第四値を得、
第一値を３で割って、第五値を得、
第四値に第五値を乗じて、前記ＴＴＩを得る
請求項４に記載の方法。
【請求項６】
ＴＴＩを単位にしてデータブロックを送信する前に、前記方法は、決定されたＫにより前記ＴＴＩを決定することを更に含み、
前記決定されたＫにより前記ＴＴＩを決定することは、２００をＫで割って、前記ＴＴＩを得る
請求項３に記載の方法。
【請求項７】
前記方法を適用する通信システムがサポートしているハイブリッド自動再送要求（ＨＡＲＱ）の往復時間（ＲＴＴ）の最大値は２００μsであり、または、
前記方法を適用する通信システムのサブキャリア間隔はΔであり、Δは０．０１ＭＨｚ＜Δ≦７．５ＭＨｚである
請求項１〜６のいずれか１項に記載の方法。
【請求項８】
データ受信方法であって、
前記方法は、送信時間間隔（ＴＴＩ）を単位にしてデータブロックを受信することを含み、前記ＴＴＩはサイクリックプレフィックスを有するＮ個のシンボルを含み、ここで、
Tmin≦T≦Tmaxであり、
Tmin＝(13×N×L)/3であり、
Tmax＝100であり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ受信方法。
【請求項９】
前記シンボルは直交周波数分割多重（ＯＦＤＭ）シンボルであり、或いはシングルキャリア周波数分割多元接続（ＳＣ−ＦＤＭＡ）シンボルであり、或いは非直交シンボルであり、または、
前記方法を適用する通信システムがサポートしているハイブリッド自動再送要求（ＨＡＲＱ）の往復時間（ＲＴＴ）の最大値は２００μsであり、または、
前記方法を適用する通信システムのサブキャリア間隔はΔであり、Δは０．０１ＭＨｚ＜Δ≦７．５ＭＨｚである
請求項８に記載の方法。
【請求項１０】
データ送信装置であって、
送信時間間隔（ＴＴＩ）を送信モジュールに送信するように構成される第一決定モジュールと、
第一決定モジュールから送信された前記ＴＴＩを受信した後、ＴＴＩを単位にしてデータブロックを送信するように構成される送信モジュールとを備え、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ送信装置。
【請求項１１】
前記第一決定モジュールは、さらに、発信機と受信機の処理能力に応じて、Ｋを決定するように構成され、または、
前記第一決定モジュールは、さらに、チャネル環境に応じてＬを決定し、或いは、応用シーンに応じてＬを決定し、或いは、送信されたデータブロックのサービス特性に応じてＬを決定するように構成され、または、
前記第一決定モジュールは、さらに、決定されたＬおよびＫにより前記ＴＴＩを決定するように構成される
請求項１０に記載の装置。
【請求項１２】
前記装置を適用する通信システムがサポートしているハイブリッド自動再送要求（ＨＡＲＱ）の往復時間（ＲＴＴ）の最大値は２００μsであり、または、
前記装置を適用する通信システムのサブキャリア間隔はΔであり、Δは０.０１ＭＨｚ＜Δ≦７.５ＭＨｚである
請求項１０または１１に記載の装置。
【請求項１３】
データ受信装置であって、
送信時間間隔（ＴＴＩ）を受信モジュールに送信するように構成される第二決定モジュールと、
第二決定モジュールから送信された前記ＴＴＩを受信したあと、ＴＴＩを単位にしてデータブロックを受信するように構成される受信モジュールとを備え、前記ＴＴＩはサイクリックプレフィックスを有するＮ個のシンボルを含み、ここで、
Tmin≦T≦Tmaxであり、
Tmin＝(13×N×L)/3であり、
Tmax＝200/Kであり、
Ｎは１以上且つ└600/(13KL)┘以下の正整数であり、
ＴはＴＴＩを表し、Ｌは前記サイクリックプレフィックスを有するＮ個のシンボルのサイクリックプレフィックスの平均値を表し、Ｌ≦６であり、└  ┘は切捨てを表し、Ｋは定数であり、2＜K≦7であり、Ｔ、Ｌ、Tmin、およびTmaxの単位はμsである、前記データ受信装置。
【請求項１４】
前記装置を適用する通信システムがサポートしているハイブリッド自動再送要求（ＨＡＲＱ）の往復時間（ＲＴＴ）の最大値は２００μsであり、または、
前記装置を適用する通信システムのサブキャリア間隔はΔであり、Δは０.０１ＭＨｚ＜Δ≦７.５ＭＨｚである
請求項１３に記載の装置。
【請求項１５】
コンピュータ記憶媒体であって、
前記コンピュータ記憶媒体は、一組の命令を含み、前記命令を実行する際、少なくとも一つのプロセッサが請求項１〜７のいずれか１項に記載のデータ送信方法を実行するようにし、或いは請求項８〜９のいずれか１項に記載のデータ受信方法を実行するようにする、前記コンピュータ記憶媒体。
【国際調査報告】
2017512435.tif 000014
2017512435.tif 000015
2017512435.tif 000016
2017512435.tif 000017